(57)【特許請求の範囲】
【請求項１】
パチンコ球が貯留される皿部の底壁に球抜き孔を開設し、前記底壁の裏側に設けられる支持枠に常に前記球抜き孔を閉じるように付勢されるシャッター板を可動自在に設け、前記シャッター板をパチンコ球により前記球抜き孔が開放する位置に停止保持するようにしたパチンコ機における球受皿の球抜き装置において、
前記支持枠に前記シャッター板が前記球抜き孔を閉塞している状態でパチンコ球を底壁で支承する保持部を該シャッター板の摺動方向に下傾して設けると共にその下側端に落下孔を開設し、前記シャッター板の下面に前記保持部に位置するパチンコ球に係合する凹部を形成し、前記保持部と前記凹部との間隔はパチンコ球が係脱自在に挟着されると共に該パチンコ球により前記シャッター板が皿部の底壁裏面に押圧され停止保持される距離に設定され、前記保持部のパチンコ球を前記シャッター板の凹部で挟着した球抜き孔の開放状態で、前記シャッター板を前記保持部の下傾側に移動させ、前記凹部の係合により前記保持部のパチンコ球を前記シャッター板と共に強制的に移動させて前記落下孔に導き前記シャッター板の停止保持を解除するようにしたことを特徴とするパチンコ機における球受皿の球抜き装置。
【請求項２】
前記凹部は前記シャッター板が球抜き孔を開放する摺動方向の一側縁をテーパ面に形成したことを特徴とする請求項１記載のパチンコ機における球受皿の球抜き装置。
【請求項３】
前記皿部の前面側で外部と連なり外部からのパチンコ球を前記保持部に導く投入溝を該保持部に向かって下傾して設けたことを特徴とする請求項１または２記載のパチンコ機における球受皿の球抜き装置。
【請求項４】
前記保持部にシャッター板の摺動方向と直交する浅窪部を設けたことを特徴とする請求項１ないし３のいずれかに記載のパチンコ機における球受皿の球抜き装置。
【請求項５】
前記凹部をシャッター板の裏面に設けた弾性片に形成したことを特徴とする請求項１ないし４のいずれかに記載のパチンコ機における球受皿の球抜き装置。
【発明の詳細な説明】
【０００１】
【発明の属する技術分野】
本発明は、遊技中のパチンコ球を利用してシャッター板を球抜き孔が開放される位置に停止保持できるようにしたパチンコ機における球受皿の球抜き装置に関するものである。
【０００２】
【従来の技術】
従来、この種の球受皿の球抜き装置であって、遊技中のパチンコ球を利用して球抜き孔を開放する位置で、シャッター板を停止保持させるようにしたものが、例えば特開平２−１５４７７６号公報に記載の如く知られている。この公報に記載のものは、下皿の前方下縁に水平方向に沿って案内縁を形成すると共に、下皿に開設された排出口をする方向にスプリングにより付勢された摺動蓋と、該摺動蓋を摺動可能に支持する蓋枠部材と、摺動蓋を操作する摺動レバーとからなるスライド蓋機構を設け、摺動レバーと摺動蓋との間に下皿の案内縁に嵌入する受溝を形成し、また案内縁にはパチンコ球が嵌入可能な凹陥部を設け、摺動蓋を摺動させて排出口を開放したときに凹陥部にパチンコ球を嵌入させ、このパチンコ球に摺動蓋の摺動レバーの前端面を当接させることにより摺動蓋を停止保持するようにしており、しかもこの球を摺動レバーに埋設した磁石に吸着させてその位置を安定させている。
【０００３】
【発明が解決しようとする課題】
このように前記公報に記載のものは、下皿の案内縁に外部に露出させて設けられた凹陥部と、摺動レバーの前端面をパチンコ球に当接させるようにして摺動蓋を停止保持しているので、摺動レバーに無用な衝撃が加った時などパチンコ球が落ち易く、すぐに球抜き孔を閉止してしまうという問題があった。
【０００４】
それ故に本発明の目的は、遊技者の意思によって球抜き調整を容易に行うことができるパチンコ機における球受皿の球抜き装置を提供しようとするものである。
【０００５】
【課題を解決するための手段】
上記目的を達成するため本発明は、請求項１記載の発明は、パチンコ球が貯留される皿部の底壁に球抜き孔を開設し、前記底壁の裏側に設けられる支持枠に常に前記球抜き孔を閉じるように付勢されるシャッター板を可動自在に設け、前記シャッター板をパチンコ球により前記球抜き孔が開放する位置に停止保持するようにしたパチンコ機における球受皿の球抜き装置において、前記支持枠に前記シャッター板が前記球抜き孔を閉塞している状態でパチンコ球を底壁で支承する保持部を該シャッター板の摺動方向に下傾して設けると共にその下側端に落下孔を開設し、前記シャッター板の下面に前記保持部に位置するパチンコ球に係合する凹部を形成し、前記保持部と前記凹部との間隔はパチンコ球が係脱自在に挟着されると共に該パチンコ球により前記シャッター板が皿部の底壁裏面に押圧され停止保持される距離に設定され、前記保持部のパチンコ球を前記シャッター板の凹部で挟着した球抜き孔の開放状態で、前記シャッター板を前記保持部の下傾側に移動させ、前記凹部の係合により前記保持部のパチンコ球を前記シャッター板と共に強制的に移動させて前記落下孔に導き前記シャッター板の停止保持を解除するようにしたことを特徴とする。
【０００６】
また、請求項２記載の発明は、請求項１記載の発明において、前記凹部は前記シャッター板が球抜き孔を開放する摺動方向の一側縁をテーパ面に形成したことを特徴とする。
【０００７】
また、請求項３記載の発明は、請求項１または２記載の発明において、前記皿部の前面側で外部と連なり外部からのパチンコ球を前記保持部に導く投入溝を該保持部に向かって下傾して設けたことを特徴とする。
【０００８】
また、請求項４記載の発明は、請求項１ないし３のいずれかに記載の発明において、前記保持部にシャッター板の摺動方向と直交する浅窪部を設けたことを特徴とする。
【０００９】
また、請求項５記載の発明は、請求項１ないし４のいずれかに記載の発明において、前記凹部をシャッター板の裏面に設けた弾性片に形成したことを特徴とする。
【００１０】
また、本発明のパチンコ機における球受皿の球抜き装置は、パチンコ機の前面枠の前面に設けられる打球供給用の打球供給皿または該打球供給皿の余剰球を貯留する下部球受皿のいずれにも適用可能であるのは勿論のこと、下部球受皿の下方に位置する球箱の球抜き装置にも適用可能である。
【００１１】
【発明の実施の形態】
以下に本発明に係る下部球受皿の球抜き装置の一実施例を図面と共に説明する。図１はパチンコ機の正面図であり、図において１は機枠、２は機枠１の前面に開閉自在に装着される前面枠で、その前面にはガラス枠３とその下方に前板４が開閉自在に装着される。前記ガラス枠３の後方には遊技盤５が配置され、該遊技盤５の表面にガイドレール６が敷設されている。前記前板４の前面には打球供給皿７が取り付けられている。また、前面枠２の下部には操作ハンドル８と前記打球供給皿７の余剰球を貯留する下部球受皿９が取り付けられている。
【００１２】
図２は下部球受皿９の斜視図、図３は球抜き装置を分解して示す斜視図、図４は下部球受皿の平面図をそれぞれ示す。下部球受皿９は取付基板１０の前面に皿部１１が装着されており、該皿部１１に取付基板１０に開設される余剰球排出用の排出口１２と連なる球貯留部１３が設けられている。また、該球貯留部１３の底壁１４に図４に示すよう円形の球抜き孔１５が開設されている。
【００１３】
１６は底壁１４の裏側にビスＰを介して取付けられ、上面が開放され且つ平面長方形をなす箱枠状の支持枠であり、一側に球抜き孔１５に連通する円形の通孔１７が開設されている。
【００１４】
１８は皿部１１の底壁１４と支持枠１６との間で水平方向へ摺動自在に介装され、球抜き孔１５を開閉させるシャッター板であり、該シャッター板１８は支持枠１６に装填させたコイルスプリング１９の付勢で常に球抜き孔１５を閉塞させるようにしてあり、前側に支持枠１６から突出する操作レバー２０が設けられている。
【００１５】
前記支持枠１６には前記シャッター板１８の摺動方向に沿ってパチンコ球が一個通過し得る程度の幅を有する溝状の保持部２１が設けられている。この保持部２１は通孔１７とは反対側の一側端に支持枠１６の前側で外部と連なり内側に向って下傾する投入溝２２が連接されており、また、その一側端部の底壁２１ａに図６（ａ）に示すようにパチンコ球をころがらない程度に支承させパチンコ球を一時溜めておく浅窪部２３が保持部２１と直交する溝状に設けられている。さらに、この保持部２１の底壁２１ａは他側端に向い若干下傾しており、その下側端に落下孔２４が開設されている。
【００１６】
しかして、シャッター板１８の裏面には解除手段としての凹部２５が設けられる。該凹部２５はパチンコ球の球面に沿った凹状に形成され、シャッター板１８が球抜き孔１５を開放した時、支持枠１６に設けた保持部２１の浅窪部２３の真上に位置する。そして、凹部２５と底壁２１ａの浅窪部２３との間は、その間にパチンコ球が嵌入して、該パチンコ球によりシャッター板１８が上方へ押圧され停止保持されるように距離が設定されている。また、前記凹部２５の一側縁はシャッター板１８がスムースに摺動できるようにテーパー面に形成されて、パチンコ球Ｂを凹部２５に係合しやすいようになっている。なお、該凹部２５は浅窪部２３と共に係止手段を兼ねそなえている。
【００１７】
このように構成した本発明の球抜き装置では、シャッター板１８が球抜き孔１５を閉塞している時、支持枠１６に設けた保持部２１内に、図５，図６（ａ）に示すように下部球受皿前側の投入溝２２からパチンコ球Ｂを１個投入させて、浅窪部２３内に支承させる。そして、操作レバー２０を操作してシャッター板１８を球抜き孔１５を開放するまで摺動させる。すると、図６（ｂ）に示すようシャッター板１８の裏面に設けた凹部２５が前記パチンコ球Ｂの上面に係合する。この状態では、パチンコ球Ｂは凹部２５と浅窪部２３との間できつく挟着され、同時にそのパチンコ球によりシャッター板１８が皿部１１の底壁１４の裏面側へ押されて停止保持され、操作レバー２０から手を離しても衝撃で外れることなく球抜き孔１５の開放状態を維持する。
【００１８】
次に、このように球抜き孔１５を開放し続けているシャッター板１８を球抜き孔１５を閉塞する元の位置に戻すには、球抜き孔１５を閉塞する図６（ｃ）の矢視方向へ操作レバー２０を動かすと、操作レバー２０の移動に伴ないシャッター板１８をロックしていたパチンコ球Ｂが、解除手段としての凹部２５により図６（ｃ）の実線から鎖線位置へ強制的に運ばれ移動し、ついで傾斜面に形成されている底壁２１ａ上面を転動し、落下孔２４から下方へ落下する。そして、パチンコ球Ｂによるロック状態から開放されたシャッター板１８はコイルスプリング１９の付勢によって、図６（ａ），図７の実線に示す位置に復帰して球抜き孔１５を閉塞する。なお、ロック解除する際に、シャッター板１８を一旦球抜き位置からさらにコイルスプリング１９の付勢に抗して移動させ、ロックしていたパチンコ球Ｂと共に閉鎖方向と逆方向に移動させるようにしてもよい。また、本実施の形態において、解除手段として凹状に形成した凹部２５としたが、鉤型および円孔であってもよく、さらにパチンコ球を掻き出したり押し出したりするための爪部、リブであってもよい。
【００１９】
図８および図９に示したものは解除手段としての凹部２５をシャッター板１８ａに設けた弾性片２７の裏面に一体に形成し、弾発性を保有させるようにした他の実施の形態である。この実施の形態のものは、凹部２５が弾発することで強固に係合され、確実に係合状態のパチンコ球Ｂを解除方向に移動させることができる。しかも、図９に示すようにパチンコ球Ｂの上面に係合させる際の動作もスムースに行なえて、係合状態は弾発によって確実にかつ強固に持続される。
【００２０】
また、図１０および図１１に示すように、前記投入溝２２を支持枠１６の前側で開口し、先端を上方へ屈曲させて側面Ｌ形状の筒体に形成してもよい。該投入溝２２ａとすることで上面で開口する投入口２６にパチンコ球Ｂが投入し易くなり、不用意にパチンコ球をホール床面に転落させたりすることがなくなる。しかも、複数のパチンコ球Ｂを投入しておくことにより、その後は操作レバー２０の作動のみで球抜き孔１５の開放状態が連続して行える。
【００２１】
【発明の効果】
以上に述べたように本発明のパチンコ機における下部球受皿の球抜き装置は、シャッター板に該シャッター板を停止解除方向に移動させることにより保持しているパチンコ球を共に移動させ解除する解除手段を設けるようにしたので、球抜きの途中で誤ってパチンコ球が落ちシャッター板が戻る心配はなく、遊技者の意思により確実に球抜状態を解除することができる。
【００２２】
また、シャッター板を閉成するワンタッチ動作でもって同時に、シャッター板を開放状態に停止させていたパチンコ球を回収することができ、遊技中一方の手でハンドルを握っても、他方の手でこれら動作が簡単に行なえ、不都合を生じることはない。
【図面の簡単な説明】
【図１】パチンコ機の正面図。
【図２】下部球受皿の斜視図。
【図３】下部球受皿から球抜き装置を分解して示す斜視図。
【図４】下部球受皿の平面図。
【図５】図４のＸ−Ｘ線断面図。
【図６】作用を説明する要部の断面図。
【図７】図６（ｂ）におけるＹ−Ｙ線矢視図。
【図８】他の実施の形態を示すシャッター板の斜視図。
【図９】同上要部の断面図。
【図１０】他の実施の形態を示す下部球受皿の斜視図。
【図１１】同上要部の断面図。
【符号の説明】
７                打球供給皿
９                下部球受皿
１１              皿部
１４              底壁
１５              球抜き孔
１６              支持枠
１８，１８ａ      シャッター板
２１              保持部
２１ａ            底壁
２２              投入溝
２３              浅窪部（係止手段）
２５              凹部（解除手段，係止手段）
２７              弾性片
【図１】
0003607173.tif 000002
【図２】
0003607173.tif 000003
【図３】
0003607173.tif 000004
【図４】
0003607173.tif 000005
【図５】
0003607173.tif 000006
【図６】
0003607173.tif 000007
【図７】
0003607173.tif 000008
【図８】
0003607173.tif 000009
【図９】
0003607173.tif 000010
【図１０】
0003607173.tif 000011
【図１１】
0003607173.tif 000012